(57)【要約】【課題】簡単な構造により停電時の自動点灯を可能とし、また、懐中電灯本来の携帯性に加え、設置状態においても誘導灯等としての機能を奏する非常等装置を提供する。【解決手段】  この非常灯装置は、懐中電灯１と、この懐中電灯１を着脱自在に支持する支持フレーム１５と、停電作動スイッチ手段１５と、反射ミラー１３とを備える。停電作動スイッチ手段１５は、商用交流電源に接続されてこの電源がオンの時に上記懐中電灯の点灯回路を非導通状態となし、電源がオフの時には前記点灯回路を導通状態とするものである。停電作動スイッチ手段１５は、懐中電灯１の後端を吸着して保持する電磁石９ａと、常時は懐中電灯１内の点灯回路に絶縁介在物が介在して懐中電灯１をオフ状態とし、懐中電灯１の落下によってオン状態とするもの等からなる。【選択図】    図１
2005327524.tif 000002
【特許請求の範囲】
【請求項１】
懐中電灯と、この懐中電灯を着脱自在に支持する支持フレームと、商用交流電源に接続されてこの電源がオンの時に前記懐中電灯の点灯回路を非導通状態となし、電源がオフの時には前記点灯回路を導通状態とする停電作動スイッチ手段と、前記支持フレームに設けられこの支持フレームに支持された懐中電灯の照射方向前方に位置する反射ミラーとを備えた非常灯装置。
【請求項２】
請求項１において、前記支持フレームは懐中電灯を下向き姿勢で上下動可能に支持するものであり、停電作動スイッチ手段は、前記支持フレームに設けられ前記商用交流電源で駆動されて懐中電灯の後端を吸着する電磁石と、懐中電灯の後端部に設けられたばね性の点灯用接触端子対と、前記支持フレームに設けられ前記電磁石により吸着された位置にある懐中電灯の前記点灯用接触端子対に介在してこれら端子対を非接触としかつ前記電磁石による吸着が解除されて懐中電灯が落下した状態で前記端子対から抜け出す絶縁介在体とを備える非常灯装置。
【発明の詳細な説明】
【技術分野】
【０００１】
この発明は、非常時用に建物の壁面等に懐中電灯を常備し、停電時には自動的に点灯させて所在を分かり易くし、かつ通路や足元用の非常灯として兼用させる非常灯装置に関するものである。
【背景技術】
【０００２】
戸建住宅や、マンション或いはオフィスビル等においては、地震，火災，停電時等の非常時に備え、懐中電灯が所定位置に常備されていることが多い。停電になると、この懐中電灯を取外し、手動スイッチをオンして点灯させ、避難誘導等に用いられる。しかし、夜間における停電時には、懐中電灯の常備場所がわからず、探すのに時間を要することがある。特に、地震や火災時などは、即座に非難する必要があるが、冷静に考えることが難しく、常備場所の懐中電灯を探していると、非難に間に合わない場合がある。非難の遅れや懐中電灯の入手不能は、人命に係ることがある。そこで、このような観点から、特許文献１は、停電時に自動的に点灯する懐中電灯を提案している。
【特許文献１】特開平８−２８７７０３号公報
【発明の開示】
【発明が解決しようとする課題】
【０００３】
上記特許文献１の懐中電灯は、停電時に自動的に点灯するので、夜間であってもその存在場所が直ちにわかる。しかし、存在場所がわっても、その場所まで人が行くのに、周辺が暗くて安全かつ迅速に懐中電灯を取りに行くことが難しい場合がある。
すなわち、設置状態における照射野が懐中電灯自体の照射野に限られるため、設置場所に応じた照射域の設定の自由度が少ない。そのため、避難通路や非常階段等の足元を照らすには、専用の非常灯を別に設けておく必要がある。
【０００４】
この発明の目的は、停電時に自動点灯して懐中電灯の存在場所がわかり易く、また懐中電灯本来の携帯性に加え、設置状態においても足元灯等の誘導灯等としての機能が得られる非常灯装置を提供することである。
【課題を解決するための手段】
【０００５】
この発明の非常灯装置は、懐中電灯と、この懐中電灯を着脱自在に支持する支持フレームと、商用交流電源に接続されてこの電源がオンの時に前記懐中電灯の点灯回路を非導通状態となし、電源がオフの時には前記点灯回路を導通状態とする停電作動スイッチ手段と、前記支持フレームに設けられこの支持フレームに支持された懐中電灯の照射方向前方に位置する反射ミラーとを備えることを特徴とする。
【０００６】
この構成によると、支持フレームに支持された常設の懐中電灯が、停電時には停電作動スイッチ手段によって自動点灯する。そのため、懐中電灯の存在場所が一目でわかる。また、懐中電灯の照射方向前方に位置する反射ミラーを設けたため、自動点灯した懐中電灯の明かりで、周辺の足元等を照らすことができ、懐中電灯に足元灯等の誘導灯等としての機能を兼用させることができる。そのため、地震，火災等の非常時に、懐中電灯に安全にかつ迅速に近づき、その懐中電灯を持って非難することができる。
【０００７】
この発明において、前記支持フレームは懐中電灯を下向き姿勢で上下動可能に支持するものであり、停電作動スイッチ手段は、前記支持フレームに設けられ前記商用交流電源で駆動されて懐中電灯の後端を吸着する電磁石と、懐中電灯の後端部に設けられたばね性の点灯用接触端子対と、前記支持フレームに設けられ前記電磁石により吸着された位置にある懐中電灯の前記点灯用接触端子対に介在してこれら端子対を非接触としかつ前記電磁石による吸着が解除されて懐中電灯が落下した状態で前記端子対から抜け出す絶縁介在体とを備えるものであっても良い。
この構成の場合、専用の停電検出スイッチを設けることなく、電磁石によって停電検出が行える。そのため、簡単な構成の非常灯装置とすることができる。
【発明の効果】
【０００８】
この発明の非常灯装置は、懐中電灯と、この懐中電灯を着脱自在に支持する支持フレームと、商用交流電源に接続されてこの電源がオンの時に前記懐中電灯の点灯回路を非導通状態となし、電源がオフの時には前記点灯回路を導通状態とする停電作動スイッチ手段と、前記支持フレームに設けられこの支持フレームに支持された懐中電灯の照射方向前方に位置する反射ミラーとを備えたものであるため、停電時に自動点灯して懐中電灯の存在場所がわかり易く、また懐中電灯本来の携帯性に加え、設置状態においても足元灯等の誘導灯等としての機能が得られる。そのため、簡単な構成で地震，火災等の災害時の安全性を高め、居住者の安心を得ることができる。
【発明を実施するための最良の形態】
【０００９】
以下に本発明の最良の実施の形態について図面を参照して説明する。図１は本発明の非常灯装置の一例を示す外観斜視図、図２はその設置状態を示す図、図３はその縦断面図、図４はその動作状態を示す同様図である。
この非常灯装置は、懐中電灯１と、この懐中電灯１を着脱自在に支持する支持フレーム１５と、商用交流電源に接続されてこの電源がオンの時に前記懐中電灯１の点灯回路を非導通状態となし、電源がオフの時には前記点灯回路を導通状態とする停電作動スイッチ手段９と、前記支持フレーム１５に設けられこの支持フレーム１５に支持された懐中電灯１の照射方向前方に位置する反射ミラー１３とを備える。
【００１０】
懐中電灯１は市販されている汎用の懐中電灯と略同様の構造からなるが、後端の電池交換用のキャップが異なる。この異なる部分については後述する。懐中電灯１は、導電性金属からなる筒状胴部２と、この胴部２の先端部に固定された絶縁性部材からなる電球取付ベース３と、この電球取付ベース３の中央部に形成されたソケット３ａに着脱自在に装着される電球４と、上記胴部２の先端部に電球４を取囲むよう着脱自在に螺装されるコーン状の笠部５と、胴部２の後端に着脱自在に取付けられるキャップ６とよりなる。キャップ６は電磁石で吸着が可能なように鉄等の強磁性体からなるものとされ、あるいはプラスチック等の外装の内部または外周等に強磁性体からなる被吸着部材（図示せず）を設けたものとされる。
【００１１】
胴部２には２個の単１形乾電池７がそのプラス極７ａを先側にして直列に挿入されている。この挿入状態では、先側の乾電池７のプラス極７ａが、電球取付ベース３に固設された電極端子３ｂに当接する。この電極端子３ｂはソケット３ａの底部に及び、ソケット３ａに取付けられた電球４の端子に当接する。胴部２の外表面には、導電性部材からなる手動のスライドスイッチ２ａが設けられ、ソケット３ａのねじ部から延出されたもう一方の電極端子３ｃと胴部２を構成する金属筒体との間で動作する。図３の状態は、このスライドスイッチ２ａが電極端子３ｃと胴部２を構成する金属筒体とに跨るオン状態であり、電極端子３ｃと胴部２とがスライドスイッチ２ａを介して電気的に道通状態であることを示している。笠部５は合成樹脂の成型体からなり、その内面には鏡面加工或いは鏡面板による反射面とされ、先端開口部には透光性部材５ａが装着されている。
【００１２】
上記電池交換用キャップ６は、合成樹脂の絶縁性部材からなり、その内面には、胴部２の後端に螺装着したときには、胴部２と電気的に導通状態となる第１の接触端子片８ａと、乾電池７のマイナス極７ｂに弾接する第２の接触端子片８ｂが固設されている。これら第１の接触端子片８ａ及び第２の接触端子片８ｂは、導電性の磁性金属からなり、折曲げ形成され、ばね性の接触端子対８を構成する。
【００１３】
電池交換用キャップ６の背後（図のような設置状態では上方）には、電磁石９ａが位置する。電磁石９ａは、変圧器１０を介して商用交流電源１１に接続される。この商用交流電源１１からは、電流が、オン状態の操作スイッチ１１ａを介して変圧器１０に通電される。変圧器１０では、例えば１００Ｖから２４Ｖに変圧されて電磁石９ａに供給される。電磁石９ａにはピン状の絶縁介在体９ｂが設けられており、電磁石９ａと絶縁介在体９ｂとにより停電作動スイッチ手段９が構成される。
【００１４】
懐中電灯１、停電作動スイッチ手段９、及び後記する反射ミラー１３は、支持フレーム１５内に装備されている。支持フレーム１５は、縦長箱型筐体とされている。懐中電灯１は、図では、支持フレーム１５の内壁面に取付けられた馬蹄形ないしＵ字形の保持具１２により着脱可能に保持される。懐中電灯１、停電作動スイッチ手段９及び反射ミラー１３は、図２に示すように、支持フレーム１５にユニット化された状態で、建物ｒの壁面ｗに形成された開口ｗ１内の壁内空間に設置される。支持フレーム１５は、壁内空間で建物の桟や柱等に固定される。電磁石９ａは壁内等に配線された屋内配線に接続される。
【００１５】
図における懐中電灯１の保持状態では、電球４が下に向くよう縦向きとされている。絶縁介在体９ｂは、電池交換用キャップ６の後端面に設けられた小孔６ａから電池交換用キャップ６内に挿入され、電磁石９ａが通電されている状態の時は、接触端子対８の両接触端子片８ａ，８ｂ間にその弾力に抗して介入し、絶縁状態を保つ。この状態では、スライドスイッチ２ａがオンであっても、懐中電灯１の点灯回路は遮断状態であり、電球４は点灯しない。
【００１６】
上記保持状態の懐中電灯１の下方に位置する支持フレーム１５には、反射ミラー１３が取付けられている。この反射ミラー１３は、ヒンジ部１３ａを支点として、支持フレーム１５に形成されたガイド円弧溝１３ｂの範囲内で揺動可能とされ、このガイド円弧溝１３ｂに挿通された固定具（例えば、蝶ボルト、蝶ナット等）１３ｃによって任意の角度に固定可能とされている。
【００１７】
この構成の非常灯装置によると、商用交流電源１１が停電し、或いは操作スイッチ１１ａをオフにすると、電磁石９ａに通電されなくなり、非励磁状態となる。従って、絶縁介在体９ｂに磁界が発生せず、その吸引による保持力がなくなり、懐中電灯１は自重により落下して図４に示すようにキャップ６で保持具１２に係合してより保持される。このように、懐中電灯１が落下すると、内部の接触端子片８ａ，８ｂが弾性復元力により互いに接触する。その結果、懐中電灯１の点灯回路が導通し、電球４が点灯する。
【００１８】
電球４からの照射光は矢示のように反射ミラー１３で反射し、停電によって周囲が真っ暗になっても、その存在を直ちに確認することができる。また、設置場所によっては、この反射による照射光を照明光や足元灯として機能させることができ、非常時の誘導灯としても有用である。このように、足元等の明るい状態で、懐中電灯１に近づき、懐中電灯１を取り外し形態することができる。そのため、地震や火災等のパニック状態のときであっても、安全に懐中電灯１を持って非難することができる。
反射ミラー１３は、角度を適宜変えることにより、設置場所に応じた照射方向・照射域の調整がなされ、その使用適正範囲が広くなる。
なお、通常時でも操作スイッチ１１ａをオフとすれば、絶縁介在体９ｂによる拘束がなくなるから、懐中電灯１を簡易に取出すことができ、通常の常備用の懐中電灯と同様にして携帯で使用することができる。
【００１９】
上記実施形態において、図３に一点鎖線で示すように、支持フレーム１５にスイッチＳを設け、懐中電灯１が支持フレーム１５上に落下したときに懐中電灯１で押されて上記スイッチＳがオンするようにしても良い。上記スイッチＳは、例えばラジオや、支持フレーム１５の近傍に設けられたブザー，ベル等の音発生手段（図示せず）の電源をオンするものとする。
このようにスイッチＳを設けた場合、懐中電灯１が落下して支持フレーム１５に受けられたときに、その衝撃音とラジオ等の音発生手段により注意が喚起される。そのため懐中電灯１の点灯だけでなく、音によっても停電を知ることができ、また音の発生手段が支持フレーム１５の近傍にあると、懐中電灯１の所在を音によっても知ることができる。      
【００２０】
上記実施例では、停電作動スイッチ手段９を電磁石９ａと、棒状の絶縁介在体９ｂで構成する例を述べたが、これに代え、電源オン時には伸張し、電源オフ時には縮退する非導電性のプランジャーを備えたソレノイドを用いても良い。その場合、プランジャーをその伸張時（電源オン時）には、両接触端子片８ａ，８ｂの間に介入するように構成することも可能である。この場合も、プランジャーの縮退、即ち交流電源のオフによって、第１の接触端子片８ａ及び第２の接触端子片８ｂが互いに電気的導通状態となり、上記同様電球４が点灯することになる。また、懐中電灯１やその他の構成部材も、図例のものに限らず、同様の機能を奏するものであれば、他の構造のものも採用可能であることは言うまでもない。
【図面の簡単な説明】
【００２１】
【図１】本発明の非常灯装置の一例を示す外観斜視図である。
【図２】その設置状態を示す図である。
【図３】同縦断面図である。
【図４】その動作状態を示す断面図である。
【符号の説明】
【００２２】
１…懐中電灯
８…接触端子対
９…停電作動スイッチ手段
９ａ…電磁石
１１…商用の交流電源
１２…保持具
１３…反射ミラー
１５…支持フレーム
【図１】
2005327524.tif 000003
【図２】
2005327524.tif 000004
【図３】
2005327524.tif 000005
【図４】
2005327524.tif 000006